(57)【要約】【課題】大容量のデータ格納部が要求されるような詳細な計測データの格納を、電子式計器において可能にする。【解決手段】データ格納部122は、所定数のデータ格納エリアを有する複数個のブロックに分割され、データ処理部121は、周期的読み出しの１周期分の計測データを前記複数個のブロックに分散して各ブロックのデータ格納エリアに格納し、複数個のブロックに分散して格納された計測データに閾値を超過している計測データが含まれていない場合は、計測データが格納された複数個のブロックのうちの最初の一部のブロック以外の他の後続のブロックに格納されている計測データを削除し、この計測データが削除されたブロックを含む後続の複数個のブロックに次の周期分の読み出しが行われた計測データを分散して計測データが削除されたブロックを含む後続の複数個のブロックの各々のデータ格納エリアに格納する。【選択図】図５
2014115235.tif 000002
【特許請求の範囲】
【請求項１】
電流センサで検出された電路の電流および電圧センサで検出された前記電路の電圧から演算により前記電路の被計測電気量である計測データを生成する計測部、
データ格納部、
前記計測部から前記計測データの周期的読み出しを行い、当該読み出しが行われた計測データを前記データ格納部に格納するデータ処理部、及び
前記データ処理部に格納された計測データを計器外部へ送信するデータ出力部を備え、
前記データ格納部は、所定数のデータ格納エリアを有する複数個のブロックに分割され、
前記データ処理部は、前記周期的読み出しの１周期分の計測データを前記複数個のブロックに分散して各前記ブロックの前記データ格納エリアに格納し、前記複数個のブロックに分散して格納された計測データに閾値を超過している計測データが含まれていない場合は、前記計測データが格納された前記複数個のブロックのうちの最初の一部のブロック以外の他の後続のブロックに格納されている計測データを削除し、この前記計測データが削除されたブロックを含む後続の複数個のブロックに次の周期分の前記読み出しが行われた計測データを分散して前記計測データが削除されたブロックを含む後続の複数個のブロックの各々の前記データ格納エリアに格納する
ことを特徴とする電子式計器。
【請求項２】
請求項１に記載の電子式計器において、前記データ処理部は、前記複数個のブロックに分散して前記データ格納エリアに格納された計測データに閾値を超過しているデータが含まれている場合は、前記計測データが格納された前記複数個のブロックのうちの最初の一部のブロック以外の他の後続のブロックに格納されている前記計測データを削除せずにそのまま残し、前記１周期分の前記読み出しが行われた計測データが前記分散して格納された前記複数個のブロックの後に続く複数個のブロックに次の１周期分の前記読み出しが行われた計測データを分散して格納する
ことを特徴とする電子式計器。
【請求項３】
請求項２に記載の電子式計器において、前記データ処理部は、前記複数個のブロックに分散して前記データ格納エリアに格納された計測データに閾値を超過しているデータが含まれている場合は、当該閾値を超過している計測データを含む前記ブロックのヘッダ領域に、閾値を超過している計測データが存在することを意味する閾値超過情報をセットすることを特徴とする電子式計器。
【発明の詳細な説明】
【技術分野】
【０００１】
この発明は、その出力が、例えば工場、ビル、ほかの負荷系統の電路の電圧、電流、電力、等の電気量の監視等に使用される電子式計器に関するものである。
【背景技術】
【０００２】
電子式計器は、電流センサで検出された電路の電流および電圧センサで検出された前記電路の電圧から演算により前記電路の被計測電気量である計測データを生成する計測部、データ格納部、及び前記計測部から前記計測データの周期的読み出しを行い当該読み出しが行われた計測データである読出計測データを前記データ格納部に格納するデータ処理部を備えている。
【０００３】
電子式計器ではないが、車両等に使用されるデータ収集装置において、収集されるデータの量が記憶装置の容量を超えた場合であっても、出来るだけ時期的な偏りを生じずにデータ収集が可能となるデータ収集装置が提案されている。（特許文献１を参照）
【先行技術文献】
【特許文献】
【０００４】
【特許文献１】特開２０１２−５２９１８号公報
【発明の概要】
【発明が解決しようとする課題】
【０００５】
前述のような、電流センサで検出された電路の電流および電圧センサで検出された前記電路の電圧から演算により前記電路の被計測電気量である計測データを生成する計測部、データ格納部、及び前記計測部から前記計測データの周期的読み出しを行い当該読み出しが行われた計測データである読出計測データを前記データ格納部に格納するデータ処理部を備えている電子計器においては、例えば電路の電圧の監視を行う場合、通常であれば、変化がないため、長い間隔（例えば５分ごと等）に電圧の計測データを記憶している。しかし、電路への襲雷の影響などにより、電圧が一時的に低下する場合や、海外など電力会社の供給不足により、電圧が低下する場合には、100ms程度の瞬時低下の場合もあるため、10ms毎など詳細なデータを記憶したいとの要求がある。このような場合の電圧低下はいつ発生するか分からないため、大量のメモリが必要となり、大量のメモリを計測機器である電子計器に搭載するのは現実的ではない。
【０００６】
また、例えば電路の洩電流の監視を行う場合も、変化がないため、長い間隔（例えば５分ごと等）に電流の計測データを記憶している。しかし、装置の故障や、水漏れにより、漏電が発生する場合には、１秒程度発生する場合があるため、100ms毎など詳細なデータを記憶したいとの要求がある。このような場合も、漏電がいつ発生するか分からないため、大量のメモリが必要となり、大量のメモリを電子式計器に搭載するのは現実的ではない。
【０００７】
また、例えば電路の電流の監視を行う場合も、通常であれば、長い間隔（例えば５分ごと等）に電流のデータを記憶する。しかし、装置を動かす場合の始動電流の確認や、装置異常による異常電流が発生する場合には、100ms毎など詳細なデータを記憶したいとの要求がある。このような場合も、始動電流、異常電流がいついつ発生するか分からないため、大量のメモリが必要となり、大量のメモリを電子式計器に搭載するのは現実的ではない。
【０００８】
この発明はこのような実情に鑑みてなされたものであり、大容量のデータ格納部が要求されるような詳細な計測データの格納を、電子式計器において可能にすることを目的とするものである。
【０００９】
この発明に係る電子式計器は、
電流センサで検出された電路の電流および電圧センサで検出された前記電路の電圧から演算により前記電路の被計測電気量である計測データを生成する計測部、
データ格納部、
前記計測部から前記計測データの周期的読み出しを行い、当該読み出しが行われた計測データを前記データ格納部に格納するデータ処理部、及び
前記データ処理部に格納された計測データを計器外部へ送信するデータ出力部を備え、
前記データ格納部は、所定数のデータ格納エリアを有する複数個のブロックに分割され、前記データ処理部は、前記周期的読み出しの１周期分の計測データを前記複数個のブロックに分散して各前記ブロックの前記データ格納エリアに格納し、前記複数個のブロックに分散して格納された計測データに閾値を超過している計測データが含まれていない場合は、前記計測データが格納された前記複数個のブロックのうちの最初の一部のブロック以外の他の後続のブロックに格納されている計測データを削除し、この前記計測データが削除されたブロックを含む後続の複数個のブロックに次の周期分の前記読み出しが行われた計測データを分散して前記計測データが削除されたブロックを含む後続の複数個のブロックの各々の前記データ格納エリアに格納するものである。
【発明の効果】
【００１０】
この発明は、電流センサで検出された電路の電流および電圧センサで検出された前記電路の電圧から演算により前記電路の被計測電気量である計測データを生成する計測部、データ格納部、前記計測部から前記計測データの周期的読み出しを行い、当該読み出しが行われた計測データを前記データ格納部に格納するデータ処理部、及び前記データ処理部に格納された計測データを計器外部へ送信するデータ出力部を備え、前記データ格納部は所定数のデータ格納エリアを有する複数個のブロックに分割され、前記データ処理部は、前記周期的読み出しの１周期分の計測データを前記複数個のブロックに分散して各前記ブロックの前記データ格納エリアに格納し、前記複数個のブロックに分散して格納された計測データに閾値を超過している計測データが含まれていない場合は、前記計測データが格納された前記複数個のブロックのうちの最初の一部のブロック以外の他の後続のブロックに格納されている計測データを削除し、この前記計測データが削除されたブロックを含む後続の複数個のブロックに次の周期分の前記読み出しが行われた計測データを分散して前記計測データが削除されたブロックを含む後続の複数個のブロックの各々の前記データ格納エリアに格納するので、大容量のデータ格納部が要求されるような詳細な計測データの格納を、電子式計器において可能となる効果がある。
【図面の簡単な説明】
【００１１】
【図１】この発明の実施の形態１を示す図で、電子式計器の使用対象電路の事例を示す接続図である。
【図２】この発明の実施の形態１を示す図で、電路への襲雷時における電圧の変化の事例を示す図である。
【図３】この発明の実施の形態１を示す図で、電路に漏電が発生した場合の電流の変化の事例を示す図である。
【図４】この発明の実施の形態１を示す図で、工作機械等の電動機を使用した装置の指導電流の変化の事例を示す図である。
【図５】この発明の実施の形態１を示す図で、電子式計器の内部構成の事例を示すブロック図である。
【図６】この発明の実施の形態１を示す図で、図５に例示の電子式計器における計測データ処理についての事例をフローチャートで示す動作説明図である。
【図７】この発明の実施の形態１を示す図で、図５に例示の電子式計器におけるデータ格納部へのデータ格納制御動作の事例をフローチャート示す動作説明図である。
【図８】この発明の実施の形態１を示す図で、データ格納部に、或る周期１と当該周期１の次の次の周期３に閾値越えの計測データがある場合（例１）の計測データ格納状態を例示する図である。
【図９】この発明の実施の形態１を示す図で、データ格納部に、閾値越えのデータがない場合（例２）の計測データ格納状態を例示する図である。
【図１０】この発明の実施の形態１を示す図で、データ格納部に格納された計測データから連続データを読み出し処理する事例をフローチャートで例示する動作説明図である。
【図１１】この発明の実施の形態１を示す図で、データ格納部に格納された計測データから間引きデータを読み出し処理する事例をフローチャートで例示する動作説明図である。
【図１２】この発明の実施の形態１を示す図で、（１）は例１（データ格納部に、或る周期１と当該周期１の次の次の周期３に閾値越えの計測データがある場合）の状況で連続データを取出す場合の概念を、（２）は例１の状況で間引きデータを取出す場合の概念を、それぞれ示す図である。
【図１３】この発明の実施の形態１を示す図で、（１）は例２（データ格納部に、閾値越えのデータがない場合）の状況で連続データを取出す場合の概念を、（２）は例２の状況で間引きデータを取出す場合の概念を、それぞれ示す図である。
【図１４】この発明の実施の形態１を示す図で、図２（電路への襲雷時における電圧の変化の事例を示す図）に対応する実計測データをデータ格納部に格納した事例を示す図である。
【図１５】この発明の実施の形態１を示す図で、図３（電路に漏電が発生した場合の電流の変化の事例を示す図）に対応する実計測データをデータ格納部に格納した事例を示す図である。
【図１６】この発明の実施の形態１を示す図で、図４（工作機械等の電動機を使用した装置の指導電流の変化の事例を示す図）に対応する実計測データをデータ格納部に格納した事例を示す図である。
【発明を実施するための形態】
【００１２】
実施の形態１．
以下この発明の実施の形態１を図１〜図１６により説明する。
【００１３】
図１において、複数の工作機械等の負荷L1〜Lnは、受電点ＲＰから、受電トランスTr22及びフィーダトランスTr6を経て降圧された電路FLから給電され、図示のように、複数の負荷L1〜Lnの各々の電圧及び電流が、電圧センサVT及び電流センサCTで検出され、各負荷に対応する電子式計器1a〜1nは、対応する電圧センサVT及び電流センサCTの出力を入力し、監視等に必要な電気量（例えば電圧、電流、電力の各実効値）の計測データを生成し、当該計測データを格納する。
【００１４】
図１に例示の電路FLでは、発生時期は分からないが、図２に例示のような襲雷による電圧低下、図３に例示のような漏洩電流の発生、図４に例示のような工作機械等の負荷の始動電流の発生、を伴う。以下、図２〜図４について詳述する。
【００１５】
図２において、電圧の監視を行う場合、通常であれば、変化がないため、長い間隔（例えば５分ごと等）にデータを記憶している。
しかし、雷の影響などにより、電圧が一時的に低下する場合や海外など電力会社の供給不足により、電圧が低下する場合には、100ms程度の瞬時低下の場合もあるため、10ms毎など詳細なデータを記憶したいとの要求がある。
この要求の根拠は、例えば半導体装置など瞬時低下の影響が製品に影響があるかを確認するためである。
電路FLへの襲雷はいつ発生するか分からないため、電子式計器のデータ格納部に大量のメモリが必要となり、計測機器である電子式計器に大量のメモリを搭載するのは現実的ではなく、通常であれば10ms毎のデータを常時上位システムに送信し、大容量のメモリがあるパソコンなどにデータを保存する必要があった。
本実施の形態では、例えば５分毎のデータを記憶しておき、閾値を下回った場合は、発生前後のデータを10ms毎に記憶することで、大容量のメモリを必要としない電子式計器を提供することが可能である。
【００１６】
図３において、漏洩電流の監視を行う場合も、変化がないため、長い間隔（例えば５分ごと等）にデータを記憶している。
しかし、装置の故障や、水漏れにより、漏電が発生する場合には、１秒程度発生する場合があるため、100ms毎など詳細なデータを記憶したいとの要求がある。
これは、発生していた時間を特定し、漏洩電流の発生原因を特定するのに役立てるためである。
漏洩電流はいつ発生するか分からないため、電子式計器のデータ格納部に大量のメモリが必要となり、計測機器に搭載するのは現実的ではなく、通常であれば100ms毎のデータを常時上位システムに送信し、大容量のメモリがあるパソコンなどにデータを保存する必要があった。
本実施の形態では、例えば５分毎のデータを記憶しておき、しきい値を上回った場合は、発生前後のデータを100ms毎に記憶することで、大容量のメモリを必要としない計器を提供することが可能である。
【００１７】
図４において、電流の監視を行う場合も、通常であれば、長い間隔（例えば５分ごと等）にデータを記憶する。
しかし、装置を動かす場合の始動電流の確認や、装置異常が発生する場合には、100ms毎など詳細なデータを記憶したいとの要求がある。
これは、装置が起動する場合、２〜３秒、装置によっては数十秒の始動電流が発生する。
始動電流はいつ発生するか分からないため、大量のメモリが必要となり、計測機器に搭載するのは現実的ではなく、通常であれば100ms毎のデータを常時上位システムに送信し、大容量のメモリがあるパソコンなどにデータを保存する必要があった。
本実施の形態では、５分毎のデータを記憶しておき、しきい値を上回った場合は、発生前後のデータを100ms毎に記憶することで、大容量のメモリを必要としない電子式計器を提供することが可能である。
【００１８】
以下、大容量のメモリを必要としない電子式計器の事例を図５〜図１６によって説明する。電子式計器の内部構成の事例は図５に例示の通りであり、電子式計器１は、計測部11、制御装置12、設定部13、及び出力部14で構成されている。
【００１９】
計測部11は、電流センサCT、電圧センサVTの出力である電流、電圧信号をサンプリングし、例えば100msec毎に電流、電圧、電力の実効値を演算し、演算結果を計測データとしてRAM111に格納する。
【００２０】
制御装置12は、データ処理部121、データ格納部（メモリ）122、間引きデータ読み出し処理部123、及び連続データ読み出し処理部124で構成されており、各部の機能は後述の動作説明で明確になる。
設定部13は、閾値設定部131、及びサンプリング間隔設定機能1321と間引きデータの間隔設定機能1322とを有するデータサンプリング設定部132で構成されており、各部の機能は後述の動作説明で明確になる。
【００２１】
以下、動作について説明する。
図５に例示の電子式計器における計測データ処理についての事例をフローチャートで示す動作説明図６において、  計測部11により、電流センサCT、電圧センサVTの出力である電流、電圧信号をサンプリングし、例えば100msec毎にサンプリングデータとして電流、電圧、電力の実効値を演算し、演算結果を計測データとしてRAM111に格納する（ステップST61）。
【００２２】
RAM111に格納されたサンプリングデータである計測データをデータ処理部121が設定された周期で周期的に読み出し（つまり、サンプリングし）、このサンプリングにより読み出した計測データと、閾値設定部131で設定された閾値とをデータ処理部121で比較し（ステップST62）、ステップST62での比較の結果、サンプリングデータである計測データの中に閾値を超過している計測データがある（YES）場合（ステップST63）、データ処理部121内の閾値判定部の閾値超過情報に閾値超過フラグを書き込み（ステップST64）、次のデータ格納制御のステップ（ステップST65）に進む。
ステップST62での比較の結果、サンプリングデータである計測データの中に閾値を超過している計測データが無い（NO）場合（ステップST63）もデータ格納制御のステップ（ステップST65）に進む。
データ格納制御（ステップST65）は、サンプリングデータである計測データをデータ格納部（メモリ）122へデータ処理部121により格納する制御を意味しているが、その詳細内容は、図７により後述する。
【００２３】
データ処理部121では、RAM111に格納された計測データをサンプリング読み出しする周期の１周期分の計測（RAM111からの計測データの収集）が完了したかどうか判定し（ステップST66）、判定の結果、１周期分の計測が完了しておれば（YESであれば）、閾値超過情報にステップST64における閾値超過フラグがあるかどうか判定し（ステップST67）、このステップST67での判定の結果、閾値超過情報にステップST64における閾値超過フラグがあれば（YES）、該当周期における全てのブロックのヘッダに閾値超過情報をセットする（ステップST610）。該当周期における全てのブロックのヘッダに閾値超過情報をセットした結果は図８に例示してある。
【００２４】
ステップST610で、該当周期における全てのブロックのヘッダに閾値超過情報をセットするとステップST64における閾値判定部の閾値超過情報に閾値超過情報をクリアする（ステップST611）。
【００２５】
ステップST67での判定の結果、閾値超過情報にステップST64における閾値超過フラグがなければ（NO）、該当周期におけるブロック１以外のブロックのデータを削除し（ステップST68）、次いで、該当周期のブロック１のヘッダに閾値超え無しをセットする（ステップST69）。該当周期におけるブロック１以外のブロックのデータを削除し、該当周期のブロック１のヘッダに閾値超え無しをセットした結果は図８に例示してある。
【００２６】
なお、図６において、周期、サンプリングデータ、ブロック数の定義は次の通りである。周期：詳細データを残しておきたい期間、サンプリングデータ：計測部11により演算された実効値、ブロック数：間引きデータの間隔／サンプリング間隔。
また、周期＝Ｔ，サンプリング間隔＝Δt，間引きデータの間隔＝ΔＴとすると、１周期のデータ数（Ｍ）＝T／Δt、１ブロックのデータ数（ｎ）＝Ｔ／ΔＴ、ブロック数（Ｎ）＝Ｍ/ｎである。
また、間引きデータとは、図８、図９、図１２等における各ブロックの各データ格納エ
リアに格納された計測データであるブロック１に記憶のサンプリング１−１，サンプリング１−３、ブロック２に記憶のサンプリング１−２，サンプリング１−４、等を意味し、これに対し連続データとは、サンプリング１−１，サンプリング１−２、サンプリング１−３，・・・サンプリング１−ｎ、サンプリング３−１，サンプリング３−２、サンプリング３−３，・・・サンプリング３−ｎ、等のサンプリング順に整理しなおされたデータを意味する。
【００２７】
次に、図７により、データ処理部121によるデータ格納部122へのデータ格納制御について説明する。
データ処理部121は計測部11のRAM111から読み込んだサンプリングデータ（計測データ）が新しい周期の計測データであるか判定し（ステップST71）、判定の結果、新しい周期の計測データである（YES）場合は、新しい周期として間引きデータの間隔ΔＴとサンプリング間隔Δtとから計算されたブロック数（Ｎ）分のメモリ領域をデータ格納部122に確保する（ステップST72）。
【００２８】
次いで、確保したメモリ領域における１周期分の領域をＮ個に分割してＮ個のブロック（データ格納部122のメモリ領域における複数個のデータ格納エリア毎にグルーピングしたデータ格納領域）にブロック番号を１からＮまで付ける（ステップST73）。
【００２９】
ステップST73の処理後、ブロック1の先頭データ領域（データ格納エリア）にサンプリングデータを格納する（ステップST73）。
【００３０】
ステップST71での判定の結果、新しい周期の計測データではない（NO）場合は、前回格納したブロックの番号はＮ（１）か判別し（ステップST75）、判別結果、前回格納したブロックの番号がＮ（１）であれば（YES）、計測部１１のRAM111からデータ処理部121が読み込んだサンプリングデータ（計測データ）をブロック１に格納する（ステップST76）。
ステップST75での判別結果、前回格納したブロックの番号がＮ（１）でなければ（NOであれば）、前回格納した次のブロックにサンプリングデータ（計測データ）を格納する（ステップST77）。
【００３１】
前述の図６及び図７の処理フローでの処理結果、例えば周期１及び周期３に閾値越えの計測データがある場合（例１）は図８に事例を図示のように、データ格納部（メモリ）122のデータ格納領域に、周期１ではブロック１及びブロック２の２つのブロックに分割して確保され、図８（１）のようにブロック１における各データ格納エリアに間引きデータ（計測データ）であるサンプリングデータ（計測データ）1-1（図では「サンプリング1-1」と略記してある。以下同様に略記する），サンプリング1-3，サンプリング1-5，・・・サンプリング1-(nー1)が格納されると共に、ブロック２における各データ格納エリアに間引きデータ（計測データ）であるサンプリング1-2，サンプリング1-4，サンプリング1-6，・・・サンプリング1-nが格納され、更に、図８（２）のように周期１の全ブロック（ブロック１，ブロック２）のヘッダに、閾値超過情報が「閾値超過」とセットされている。
【００３２】
図８（３）（４）は周期２における計測データが同様に格納された事例であり、周期２では閾値越えの計測データが無いので、  図８（４）に例示のように、最初のブロック１は削除されずに残され、最初のブロック１以外のブロック（ブロック２）は削除され、削除されずに残された最初のブロック１のヘッダには、周期２の計測データには閾値超えのデータが無い旨の情報「閾値超えなし」がセットされている。
ここで、最初のブロック１以外のブロック（ブロック２）が削除されるので、その分だけデータ格納部（メモリ）の容量に余裕ができる。
【００３３】
図８（５）は、周期２における最初のブロック１以外のブロック（ブロック２）が削除された領域に、次の周期３の最初のブロック１が確保され当該ブロック１に周期３の間引きデータ（計測データ）サンプリング3-1，サンプリング3-3，サンプリング3-5，・・・サンプリング3-(nー1)が格納され、周期３の最初のブロック１に後続の周期３のブロック２に周期３の間引きデータ（計測データ）サンプリング3-2，サンプリング3-4，サンプリング3-6，・・・サンプリング3-nが格納されている。周期３の計測データには閾値超えのデータがあるので、周期３の全部ロック（ブロック１，ブロック２）のヘッダに、閾値超えの情報「閾値超過」がセットされている。
【００３４】
なお、図８にも例示のように、図８（１）では、ある一定周期のデータについて計測部11にてデータの計測を行い、データ処理部121内のデータ仕分け機能にて図８（１）に例示のようにデータ格納部（メモリ）内の計測データ格納領域を複数個のブロック（図示事例では２つのブロック）に分け、サンプリングデータ（計測データ）の格納を行った状態を例示してある。
図８（２）では、この周期内に計測した全てのデータを閾値判定部にて判定し、閾値を超えたデータがある場合、データ処理部121内のデータ整理機能にてデータ格納部の各ブロックのヘッダ情報に、閾値超過の情報をセットした状態を例示してある。
【００３５】
図８（３）では、次の周期に対して図８（１）と同様のサンプリングを行う。
図８（４）では、この周期内に計測した全てのデータをデータ処理部121内の閾値判定機能にて判定し、閾値を超えたデータがない場合、データ処理部121内のデータ整理機能にてデータ格納部122から、電子式計器としては無視し得るブロック（図は周期２のブロック２）を削除し、その他ブロック（図は周期２のブロック１）のヘッダ情報に、閾値超過なしの情報をセットしてある状態を例示してある。
【００３６】
図８（５）では、次の周期に対して図８（１）と同様のサンプリングを行う。
図８（６）では、この周期内に計測した全てのデータをデータ処理部121内の閾値判定機能にて判定し、閾値を超えたデータがある場合、データ処理部121内のデータ整理機能にてデータ格納部122の各ブロックのヘッダ情報に、閾値超過の情報をセットしてある状態を例示してある。
【００３７】
図９（１）〜（６）は、閾値越えのデータがない場合（例２）について、前述の図８（１）〜（６）と同様に行われたデータ格納部122への計測データの格納処理、及びデータ格納部122への格納結果を例示する図である。図９（１）〜（６）については、前述の動作説明、図８（１）〜（６）の説明、図９（１）〜（６）の図示内容から判明するので具体的な説明は割愛する。
【００３８】
電子式計器の外部からの要求等により、前記データ格納部（メモリ）122に前述のようにして格納された計測データを電子式計器の外部へ出力する場合について、図１０及び図１１によって説明する。
【００３９】
図１０は、電子式計器の外部からの要求等により、前記連続データの読み出し処理を行う場合を例示してあり、図１０において、制御装置12内で連続データの読み出しの要求があるかどうかの判断をし（ステップST101）、判断結果、連続データの読み出しの要求がある場合（YES）、連続データ読み出し処理部124が前記ヘッダの情報に閾値超過情報があるかどうか判定し（ステップST102）、判定の結果、前記ヘッダの情報に閾値超過情報がある場合（YES）は、閾値超過情報がある全ての周期のデータを連続データ読み出し処理部124内の出力整理機能にてサンプリング順に整理する（ステップST103）。
【００４０】
ステップST103で、閾値超過情報がある全ての周期のデータがサンプリング順に整理されると、次いで、整理されたデータをデータ出力部14にて出力する（ステップST104）。
ステップST102での判定結果、前記ヘッダの情報に閾値超過情報が無い場合（NOの場合）は、閾値超過情報がある全ての周期のデータの何れもデータ出力部14から出力ない（ステップST105）。
【００４１】
図１１は、電子式計器の外部からの要求等により、前記間引きデータの読み出し処理を行う場合を例示してあり、図１１において、制御装置12内で間引きデータの読み出しの要求があるかどうかの判断をし（ステップST111）、判断結果、間引きデータの読み出しの要求がある場合（YES）、間引きデータ読み出し処理部123が前記ヘッダの情報に閾値超過情報があるかどうか判定し（ステップST112）、判定の結果、前記ヘッダの情報に閾値超過情報がある場合（YES）は、全ての周期のブロック１のデータを順番に出力する。（ステップST113）。
ステップST112での判定結果、前記ヘッダの情報に閾値超過情報が無い場合（NOの場合）は、ヘッダ情報を除いたデータをそのまま出力部14から出力する。（ステップST114）。
【００４２】
図１３（１）は例２（データ格納部に、閾値越えのデータがない場合）の状況で連続データを取出す場合の概念を、図１３（２）は例２の状況で間引きデータを取出す場合の概念を、それぞれ示す図である。
【００４３】
図１３（１）に例示のように、例２（データ格納部に、閾値越えのデータがない場合）の状況で連続データを取出す要求が外部からあった場合、外部より、制御装置12のデータ読み出し受付部（図示省略）に、連続データ読み出し要求があった場合、データ格納部122のヘッダ情報に閾値越えがないことを制御装置12の出力データ判定機能にて確認する。
この例では閾値超過のデータが無いため、出力部14からの出力は行わない。
【００４４】
図１３（２）に例示のように、例２（データ格納部に、閾値越えのデータがない場合）の状況で間引きデータを取出す要求が外部からあった場合、外部より、制御装置12のデータ読み出し受付部（図示省略）に、間引きデータ読み出し要求があった場合、データ格納部のヘッダ情報に閾値越えがないことを制御装置12の出力データ判定機能にて確認する。
閾値超過のデータが無いため、出力データ整理部にて、図１３（２）のようにヘッダ情報を除いたデータに編集し、出力部14から出力する。
【００４５】
次に、図２（電路への襲雷時における電圧の変化の事例を示す図）に対応する実計測データをデータ格納部に格納した事例を示す図１４について説明する。
図１４は、サンプリングデータ（Ｖ）：電圧（実効値）、周期（Ｔ）：5分、サンプリング間隔（△ｔ）：10ミリ秒、及び間引きデータの間隔（△Ｔ）：10秒の条件、及びこれら条件に依存する条件（１周期のデータ数（Ｍ）：5分／10ミリ秒＝30000個、１ブロックのデータ数（ｎ）：5分／10秒＝30個、ブロック数（N）：30000個／30個＝1000個）において全てのブロックに閾値越えの計測データがない場合、ブロック１以外の他の全てのブロック（ブロック2〜ブロック1000）が削除されるので、30000個の計測データが30個まで減る。従って、データ格納部(メモリ)122には大きな余裕をつくることができ、本実施の形態の効果が大であることが分かる。
【００４６】
次いで、図３（電路に漏電が発生した場合の電流の変化の事例を示す図）に対応する実計測データをデータ格納部に格納した事例を示す図１５について説明する。
図１５は、サンプリングデータ（Ａ）：漏洩電流（実効値）、周期（Ｔ）：5分、サンプリング間隔（△ｔ）：100ミリ秒、及び間引きデータの間隔（△Ｔ）：1秒の条件、及びこれら条件に依存する条件（１周期のデータ数（Ｍ）：5分／100ミリ秒＝3000個、１ブロックのデータ数（ｎ）：5分／10秒＝30個、ブロック数（N）：3000個／30個＝100個）に
おいて全てのブロックに閾値越えの計測データがない場合、ブロック１以外の他の全てのブロック（ブロック2〜ブロック100）が削除されるので、3000個の計測データが30個まで減る。従って、データ格納部(メモリ)122には大きな余裕をつくることができ、本実施の形態の効果が大であることが分かる。
【００４７】
次いで、図４（工作機械等の電動機を使用した装置の指導電流の変化の事例を示す図）に対応する実計測データをデータ格納部に格納した事例を示す図１６について説明する。
図１６は、サンプリングデータ（Ａ）：始動電流（実効値）、周期（Ｔ）：5分、サンプリング間隔（△ｔ）：100ミリ秒、及び間引きデータの間隔（△Ｔ）：1秒の条件、及びこれら条件に依存する条件（１周期のデータ数（Ｍ）：5分／100ミリ秒＝3000個、１ブロックのデータ数（ｎ）：5分／10秒＝30個、ブロック数（N）：3000個／30個＝100個）において全てのブロックに閾値越えの計測データがない場合、ブロック１以外の他の全てのブロック（ブロック2〜ブロック100）が削除されるので、3000個の計測データが30個まで減る。従って、データ格納部(メモリ)122には大きな余裕をつくることができ、本実施の形態の効果が大であることが分かる。
【００４８】
前述のように、本実施の形態１は、次のような技術的特徴を有している。
特徴１：電流センサで検出された電路の電流および電圧センサで検出された前記電路の電圧から演算により前記電路の被計測電気量である計測データを生成する計測部、データ格納部、前記計測部から前記計測データの周期的読み出しを行い、当該読み出しが行われた計測データを前記データ格納部に格納するデータ処理部、及び前記データ処理部に格納された計測データを計器外部へ送信するデータ出力部を備え、前記データ格納部は、所定数のデータ格納エリアを有する複数個のブロックに分割され、前記データ処理部は、前記周期的読み出しの１周期分の計測データを前記複数個のブロックに分散して各前記ブロックの前記データ格納エリアに格納し、前記複数個のブロックに分散して格納された計測データに閾値を超過している計測データが含まれていない場合は、前記計測データが格納された前記複数個のブロックのうちの最初の一部のブロック以外の他の後続のブロックに格納されている計測データを削除し、この前記計測データが削除されたブロックを含む後続の複数個のブロックに次の周期分の前記読み出しが行われた計測データを分散して前記計測データが削除されたブロックを含む後続の複数個のブロックの各々の前記データ格納エリアに格納する電子式計器である。
特徴２：特徴１に記載の電子式計器において、前記データ処理部は、前記複数個のブロックに分散して前記データ格納エリアに格納された計測データに閾値を超過しているデータが含まれている場合は、前記計測データが格納された前記複数個のブロックのうちの最初の一部のブロック以外の他の後続のブロックに格納されている前記計測データを削除せずにそのまま残し、前記１周期分の前記読み出しが行われた計測データが前記分散して格納された前記複数個のブロックの後に続く複数個のブロックに次の１周期分の前記読み出しが行われた計測データを分散して格納するものである。
特徴３：特徴２に記載の電子式計器において、前記データ処理部は、前記複数個のブロックに分散して前記データ格納エリアに格納された計測データに閾値を超過しているデータが含まれている場合は、当該閾値を超過している計測データを含む前記ブロックのヘッダー領域に、閾値を超過している計測データが存在することを意味する閾値超過情報をセットするものである。
特徴４：電流および電圧信号から電気量（実効値）を演算する計測部と、所定数Ｎのエリアに分割され、前記電気量が格納されるデータ格納部と、前記計測部より前記電気量を読み出し、前記格納部の所定数Ｎのエリアに順番に分散して格納するデータ処理部と、前記データ格納部より計測データを読み出し、外部に送信するデータ読み出し処理部と、を備えた電子式計器において、前記データ処理部は、１周期分の計測完了時に、該周期内の計測データが閾値を超過していない場合、該周期の２ブロック以降のエリアのデータを削除して前記２ブロック以降のエリアに次の周期のエリアを確保し、該周期内の計測データが
閾値を超過していた場合、次の周期のエリアを新たに確保するものである。
特徴５：特徴４に記載の電子式計器において、前記データ処理部は、該周期内の計測データが閾値を超過していた場合、そのエリアのヘッダー情報に閾値超過情報をセットするものである。
【００４９】
なお、本発明は、その発明の範囲内において、実施の形態を適宜、変形することができる。
なお、各図中、同一符合は同一または相当部分を示す。
【符号の説明】
【００５０】
１  電子式計器、11  計測部、111  RAM、12  制御装置、121  データ処理部、122  データ格納部（メモリ）、123  間引きデータ読み出し処理部、124  連続データ読み出し処理部、13  設定部、131  閾値設定部、132  データサンプリング設定部、1321  サンプリング間隔設定機能、1322  間引きデータの間隔設定機能、14  出力部。
【図１】
2014115235.tif 000003
【図２】
2014115235.tif 000004
【図３】
2014115235.tif 000005
【図４】
2014115235.tif 000006
【図５】
2014115235.tif 000007
【図６】
2014115235.tif 000008
【図７】
2014115235.tif 000009
【図８】
2014115235.tif 000010
【図９】
2014115235.tif 000011
【図１０】
2014115235.tif 000012
【図１１】
2014115235.tif 000013
【図１２】
2014115235.tif 000014
【図１３】
2014115235.tif 000015
【図１４】
2014115235.tif 000016
【図１５】
2014115235.tif 000017
【図１６】
2014115235.tif 000018